(57)【要約】【課題】印刷時に斑紋の低減をもたらすインクジェット印刷システムを提供する。【解決手段】本発明のインクジェット印刷システムは、定着剤液と顔料系インクジェットインクとを含んで成る。定着剤液は、カチオン性ポリマーと酸性沈殿剤とを含む。インクジェットインクは、アニオン性顔料と、次の少なくとも１つ：インクジェットインク中に約０．１ｗｔ％以下にて存在する少なくとも１つのノニオン性界面活性剤；インクジェットインク中に約２ｗｔ％以下にて存在する少なくとも１つのアニオン性バインダー；約２０ｗｔ％以下の少なくとも１つの有機溶媒、とを含む。【選択図】なし【特許請求の範囲】
【請求項１】
インクジェット印刷システムであって、
カチオン性ポリマー及び酸性沈殿剤を含んで成る定着剤液と、
アニオン性顔料及び次のうちの少なくとも１つ、
インクジェットインク中に約０．１ｗｔ％以下で存在する少なくとも１つのノニオン性界面活性剤、
インクジェットインク中に約２ｗｔ％以下で存在する少なくとも１つのアニオン性バインダー、及び
約２０ｗｔ％以下の少なくとも１つの有機溶媒、
を含んで成るインクジェットインクと、
を含む、インクジェット印刷システム。
【請求項２】
前記カチオン性ポリマーが、ヘキサメチレングアニド、ヘキサメチレンビグアニドのポリマー、及びヘキサメチレンビグアニドとヘキサメチレングアニドとのコポリマーから成る群から選択される、請求項１に記載のインクジェット印刷システム。
【請求項３】
前記酸性沈殿剤が、クエン酸、コハク酸、リン酸、グリコール酸、酢酸、及びそれらの混合物を含む、請求項１又は２に記載のインクジェット印刷システム。
【請求項４】
前記アニオン性顔料が、約１６５の酸価を有するスチレンアクリルポリマーがその表面に共有結合しているカーボンブラックを含む、請求項１〜３の何れか１項に記載のインクジェット印刷システム。
【請求項５】
前記少なくとも１つのノニオン性界面活性剤が、構造ＲｆＣＨ２ＣＨ２Ｏ（ＣＨ２ＣＨ２Ｏ）ｘＨ〔式中、ＲｆはＦ（ＣＦ２ＣＦ２）ｙであり、ｘは０〜約１５、及びｙは約１〜約７である〕を有するエトキシル化ノニオン性フッ素系界面活性剤である、請求項１〜４の何れか１項に記載のインクジェット印刷システム。
【請求項６】
前記少なくとも１つのアニオン性バインダーが、約４０〜約１６０の酸価と、約４，０００〜約１０，０００の分子量とを有する、請求項１〜５の何れか１項に記載のインクジェット印刷システム。
【請求項７】
前記少なくとも１つのアニオン性バインダーが、約８．０〜約１０．０のｐＨにおいて、可溶性である、請求項１〜６の何れか１項に記載のインクジェット印刷システム。
【請求項８】
前記少なくとも１つのアニオン性バインダーが、約９．０〜約９．５の範囲のｐＨにおいて、可溶性である、請求項１〜７の何れか１項に記載のインクジェット印刷システム。
【請求項９】
前記少なくとも１つのアニオン性バインダーが、スチレンアクリルポリマー、ポリウレタンポリマー、及びそれらの混合物から成る群から選択される、請求項１〜８の何れか１項に記載のインクジェット印刷システム。
【請求項１０】
前記ポリウレタンポリマーが、約５５の酸価と、約５，５００の分子量とを有する、請求項１〜９の何れか１項に記載のインクジェット印刷システム。
【請求項１１】
前記スチレンアクリルポリマーが、約１０８の酸価と、約４，６００の分子量とを有する、請求項１〜１０の何れか１項に記載のインクジェット印刷システム。
【請求項１２】
前記少なくとも１つの有機溶媒が、２−ピロリドン、１，２−ヘキサンジオール、トリプロピレングリコール、及びそれらの混合物から成る群から選択される、請求項１〜１１の何れか１項に記載のインクジェット印刷システム。
【請求項１３】
インクジェット印刷システムを製造する方法であって、
請求項１及び請求項４〜１２の何れか１項に記載のインクジェットインクを調合するステップと、
請求項１〜３の何れか１項に記載の定着剤液を調合するステップと、
を包含する、方法。
【請求項１４】
斑紋が改善された画像を印刷する方法であって、
請求項１及び請求項４〜１２の何れか１項に記載のインクジェットインクを印刷媒体に適用するステップと、
請求項１〜３の何れか１項に記載の定着剤液を前記印刷媒体に適用するステップと、
を包含する、方法。
【請求項１５】
インクジェットインクを印刷媒体に適用する前記ステップが、前記インクジェットインクを多孔質紙に適用するステップを包含する、請求項１４に記載の方法。
【発明の詳細な説明】
【技術分野】
【０００１】
本発明は、インクジェット印刷において用いるためのインクジェット印刷システムに関する。より詳細には、本発明は、斑紋が改善された印刷画像をもたらすインクジェットインク及び定着剤液に関する。
【背景技術】
【０００２】
インクジェット印刷は、インクジェットインクを印刷媒体上に付着させることによって文字や画像を印刷する非接触プロセスである。インクジェットインクは、水性インクビヒクルと、染料又は顔料のような着色剤を含んで成る。顔料系インクジェットインクは、染料系インクジェットインクで生成された画像と比較して、良好な耐水性及び耐光性を有する印刷画像を生成する。加えて、顔料系インクジェットインクは、速い乾燥時間を有し且つ印刷画像に十分な耐久性を付与するよう調合されている。これらの望ましい性質を有する顔料系インクジェットインクではあるが、顔料は、典型的に、水性インクビヒクルに不溶性である。それ故、顔料は、インクビヒクルからのアグロメレーション（凝集）又は沈降を防ぐべく安定に分散させる必要がある。
【０００３】
安定な顔料分散物を形成するためには、分散剤又は界面活性剤をインクビヒクルに添加する。分散剤は、典型的に、顔料表面に結合するポリマーであり、顔料分散物に安定性を付与する。印刷の際には、溶媒が蒸発することによってインクジェットインクから顔料が印刷媒体上に析出する。あるいはまた、顔料は、高分子基、イオン基、又は有機基のような顔料表面に共有結合し得る可溶化基によって安定に分散される。これらの顔料は、当分野において自己分散性顔料又は表面修飾型顔料と呼ばれる。自己分散性顔料の１つのカテゴリーに、ポリマー結合型顔料が包含される。本明細書で用いるとき、用語「ポリマー結合型顔料」は、少なくとも１つのポリマーがその表面に共有結合している顔料を指す。
【０００４】
ポリマー結合型顔料を含むインクジェットインクは、速い乾燥時間（典型的に１０秒未満）等の多数の利点を有する。加えて、インクジェットインクを多孔質紙上に印刷する際は、得られる画像は、良好な耐久性（アルカリハイライタを用いたスミア試験（２パス）での測定時に、典型的に１００ミリ光学濃度（“ｍＯＤ”）未満）を有する。これは、インクジェットインク中に存在する大量のバインダー及び界面活性剤によるものである。しかしながら、印刷画像はまた、好ましくない斑紋（まだら、ｍｏｔｔｌｅ）を呈する。斑紋とは、濃淡領域からなるまだらな外見に帰着する印刷濃度のむらである。斑紋は、通常、ブラック又はシアンインクジェットインクを用いる際に、グラフにおけるようなベタ塗り領域において生じる。これらのインクジェットインクに関する可視斑紋の評点は、１（最悪）〜１０（最良）の尺度において、通常、６以下である。これらのインクジェットインクは、典型的に、２０％を超えるバインダー、０．１％を超える界面活性剤、及び２０％を超える有機溶媒を含んで成る。ポリマー結合型顔料を含むインクジェットインクが、カチオン性ポリマー及び酸性沈殿剤を含むカチオン性定着システムと共に印刷されると、存在する大量のバインダー及び界面活性剤に起因して、コアレッセンス現象が起こる。カチオン性定着システムは、印刷画像の耐久性と画像品質を改善するために、インクジェットインクと組合せて用いられる。コアレッセンス現象は、多孔質紙上の完全に黒く塗りつぶされた印刷領域においてまだらな外見を生ずる。
【発明の開示】
【発明が解決しようとする課題】
【０００５】
多孔質紙上で斑紋の改善（低減）をもたらし且つカチオン性定着システムを用いた場合にコアレッセンス現象を生じない、顔料系インクジェットインクを製造することが望まれている。
【課題を解決するための手段】
【０００６】
本発明は、定着剤液とインクジェットインクとを含んで成るインクジェット印刷システムに関する。定着剤液は、カチオン性ポリマーと酸性沈殿剤を含む。インクジェットインクは、アニオン性顔料と、次の少なくとも１つ：インクジェットインク中に約０．１ｗｔ％以下で存在する少なくとも１つのノニオン性界面活性剤；インクジェットインク中に約２ｗｔ％以下で存在する少なくとも１つのアニオン性バインダー；及び約２０ｗｔ％以下の少なくとも１つの有機溶媒、とを含む。
【発明の効果】
【０００７】
本発明によれば、印刷時に斑紋の改善（低減）をもたらすインクジェット印刷システムを提供することができる。
【発明を実施するための最良の形態】
【０００８】
印刷時に斑紋の改善（低減）をもたらすインクジェットインクを開示する。当該インクジェットインクは、定着剤液と組み合わせて印刷媒体に適用することで、斑紋の低減された印刷画像を生成する。斑紋の低減は、印刷画像の光学濃度（「ＯＤ」）や耐久性、インクジェットインクのデキャップ及び乾燥時間に実質的に影響を及ぼすことなく達成される。斑紋の低減を達成するために、インクジェットインクは、在来のインクジェットインクにおける荷電種の量、界面活性剤の量、又は有機溶媒の濃度と比較して、少量の荷電種、少量の界面活性剤、又は低濃度の有機溶媒の少なくとも１つを含むことができる。インクジェットインク中の荷電種には、アニオン性バインダーなどのアニオン性成分を用いることができる。インクジェットインク中の荷電種量の低減は、インクジェットインク中のバインダー量を減らすか又はインクジェットインク中に電荷をもたない、即ちノニオン性の、界面活性剤を用いることによって達成することができる。
【０００９】
インクジェットインク及び定着剤液における構成成分の量は、それぞれ、インクジェットインク全重量及び定着剤液全重量の重量パーセント（「ｗｔ％」）で表す。全成分の純度は、インクジェットインク及び定着剤液に関する通常の商業用途において用いられる純度である。
【００１０】
インクジェットインクは、付加的な分散剤を用いることなく水性インクビヒクル中に分散又は溶解し得る顔料を含んで成る。当該顔料は、少なくとも１つのアニオン性基又はアニオン性化可能基によって付与されるアニオン性電荷を有し得る。本明細書で用いるとき、用語「アニオン性化可能基」とは、アニオン性を呈するようにイオン化し得る基を意味する。例えば、アニオン性基又はアニオン性化可能基は、顔料上に存在する酸性基若しくは酸性基の塩とし得る。アニオン性基又はアニオン性化可能基は、顔料表面に直に結合させることができる。あるいはまた、アニオン性基又はアニオン性化可能基は、顔料に結合している小有機分子若しくはポリマーに結合していてもよい。酸性基は、カルボン酸基、ヒドロキシ基、スルホン酸基、硫酸基、又はホスホン酸基のような、有機酸の誘導体とし得る。また、種々の酸性基の混合物を顔料上に存在させることもできる。顔料上のアニオン性基又はアニオン性化可能基は、印刷媒体表面上における、定着剤液とアニオン性顔料との沈殿反応サイトをもたらすことができる。アニオン性顔料は、アニオン性ポリマー結合型顔料又はアニオン性自己分散性顔料のような、アニオン性電荷を有する任意の顔料とし得る。アニオン性顔料は、インクジェットインク中に、約１ｗｔ％〜約３０ｗｔ％（例えば、約１ｗｔ％〜約１０ｗｔ％）の量にて存在させ得る。
【００１１】
顔料に結合させるポリマーとしては、限定はしないが、ポリスチレン、スチレン／アクリルコポリマー、スチレン／アクリルエステルコポリマー、ポリアクリルエステル、ポリメタクリルエステル、ポリエチルアクリレート、スチレン／ブタジエンコポリマー、ブタジエンコポリマー、ポリウレタンポリマー、アクリロニトリル／ブタジエンコポリマー、クロロプレンコポリマー、架橋アクリル樹脂、架橋スチレン樹脂、ビニリデンフッ化物、ベンゾグアナミン樹脂、ポリエチレン樹脂、ポリプロピレン樹脂、スチレン／メタクリルエステルコポリマー、スチレン／アクリルアミドコポリマー、ｎ−イソブチルアクリレート、酢酸ビニル、アクリルアミド、ポリビニルアセタール、ロジン樹脂、塩化ビニリデン樹脂、エチレン／酢酸ビニルコポリマー、酢酸ビニル／アクリルコポリマー、及び塩化ビニル樹脂を挙げることができる。当該ポリマーは、顔料重量の約２０％〜約３０％にて顔料上に担持させることができる。
【００１２】
インクジェットインクは、シアン、イエロー、マゼンタ、又はブラックのインクジェットインクとし得る。従って、アニオン性顔料には、在来の有機顔料を含むことができる。当該アニオン性顔料には、ブラック顔料、又はブルー、ブラウン、シアン、グリーン、ホワイト、バイオレット、オレンジ、マゼンタ、レッド、又はイエロー顔料のようなカラー顔料を用いることができる。さらに、カラー顔料の混合物、あるいはブラック顔料とカラー顔料との混合物を使用することもできる。当該アニオン性顔料は、チャネルブラック、ファーネスブラック、又はランプブラックのような、カーボンブラック顔料とし得る。カーボンブラックの例としては、キャボット社（Ｃａｂｏｔ  Ｃｏｒｐｏｒａｔｉｏｎ、米国マサチューセッツ州ボストン）から入手し得る、Ｒｅｇａｌ（登録商標）、Ｂｌａｃｋ  Ｐｅａｒｌｓ（登録商標）、Ｅｌｆｔｅｘ（登録商標）、Ｍｏｎａｒｃｈ（登録商標）、Ｍｏｇｕｌ（登録商標）、及びＶｕｌｃａｎ（登録商標）の商品名を付して販売されているものがある。当該カーボンブラックとしては、限定はしないが、Ｂｌａｃｋ  Ｐｅａｒｌｓ（登録商標）２０００、Ｂｌａｃｋ  Ｐｅａｒｌｓ（登録商標）１４００、Ｂｌａｃｋ  Ｐｅａｒｌｓ（登録商標）１３００、Ｂｌａｃｋ  Ｐｅａｒｌｓ（登録商標）１１００、Ｂｌａｃｋ  Ｐｅａｒｌｓ（登録商標）１０００、Ｂｌａｃｋ  Ｐｅａｒｌｓ（登録商標）９００、Ｂｌａｃｋ  Ｐｅａｒｌｓ（登録商標）８８０、Ｂｌａｃｋ  Ｐｅａｒｌｓ（登録商標）８００、Ｂｌａｃｋ  Ｐｅａｒｌｓ（登録商標）７００、Ｂｌａｃｋ  Ｐｅａｒｌｓ（登録商標）Ｌ、Ｅｌｆｔｅｘ（登録商標）８、Ｍｏｎａｒｃｈ（登録商標）１４００、Ｍｏｎａｒｃｈ（登録商標）１３００、Ｍｏｎａｒｃｈ（登録商標）１１００、Ｍｏｎａｒｃｈ（登録商標）１０００、Ｍｏｎａｒｃｈ（登録商標）９００、Ｍｏｎａｒｃｈ（登録商標）８８０、Ｍｏｎａｒｃｈ（登録商標）８００、Ｍｏｎａｒｃｈ（登録商標）７００、Ｍｏｇｕｌ（登録商標）Ｌ、Ｒｅｇａｌ（登録商標）３３０、Ｒｅｇａｌ（登録商標）４００、Ｖｕｌｃａｎ（登録商標）Ｐを挙げることができる。その他のカーボンブラックとしては、限定はしないが、デグッサ社（Ｄｅｇｕｓｓａ  Ｃｏｒｐｏｒａｔｉｏｎ、米国ニュージャージー州リッジフィールド）から入手し得る、Ｐｒｉｎｔｅｘ  ４０、Ｐｒｉｎｔｅｘ  ８０、Ｐｒｉｎｔｅｘ  ３００、Ｐｒｉｎｔｅｘ  Ｌ、Ｐｒｉｎｔｅｘ  Ｕ、Ｐｒｉｎｔｅｘ  Ｖ、Ｓｐｅｃｉａｌ  Ｂｌａｃｋ  ４、Ｓｐｅｃｉａｌ  Ｂｌａｃｋ  ５、ＦＷ１、ＦＷ２、ＦＷ１８、及びＦＷ２００；コロンビアンケミカル社（Ｃｏｌｏｍｂｉａｎ  Ｃｈｅｍｉｃａｌ  Ｃｏｒｐｏｒａｔｉｏｎ、米国ジョージア州アトランタ）から入手し得る、Ｒａｖｅｎ  ７８０、Ｒａｖｅｎ  ８９０、Ｒａｖｅｎ  １０２０、Ｒａｖｅｎ  １０４０、Ｒａｖｅｎ  １２５５、Ｒａｖｅｎ  １５００、Ｒａｖｅｎ  ５０００、Ｒａｖｅｎ  ５２５０；並びに三菱化学社（東京）から入手し得る、ＭＡ１００及びＭＡ４４０が挙げられる。
【００１３】
適切なカラー顔料の種類としては、限定はしないが、アントラキノン、フタロシアニンブルー、フタロシアニングリーン、ジアゾ、モノアゾ、ピラントロン、ペリレン、ヘテロ環イエロー、キナクリドン、及び（チオ）インジゴイドが挙げられる。フタロシアニンブルーの例には、銅フタロシアニンブルー及びその誘導体（Ｐｉｇｍｅｎｔ  Ｂｌｕｅ  １５）が含まれる。キナクリドンの例には、Ｐｉｇｍｅｎｔ  Ｏｒａｎｇｅ  ４８、Ｐｉｇｍｅｎｔ  Ｏｒａｎｇｅ  ４９、Ｐｉｇｍｅｎｔ  Ｒｅｄ  １２２、Ｐｉｇｍｅｎｔ  Ｒｅｄ  １９２、Ｐｉｇｍｅｎｔ  Ｒｅｄ  ２０２、Ｐｉｇｍｅｎｔ  Ｒｅｄ  ２０６、Ｐｉｇｍｅｎｔ  Ｒｅｄ  ２０７、Ｐｉｇｍｅｎｔ  Ｒｅｄ  ２０９、Ｐｉｇｍｅｎｔ  Ｖｉｏｌｅｔ  １９及びＰｉｇｍｅｎｔ  Ｖｉｏｌｅｔ  ４２が含まれる。アントラキノンの例には、Ｐｉｇｍｅｎｔ  Ｒｅｄ  ４３、Ｐｉｇｍｅｎｔ  Ｒｅｄ  １９４（Ｐｅｒｉｎｏｎｅ  Ｒｅｄ）、Ｐｉｇｍｅｎｔ  Ｒｅｄ  ２１６（Ｂｒｏｍｉｎａｔｅｄ  Ｐｙｒａｎｔｈｒｏｎｅ  Ｒｅｄ）及びＰｉｇｍｅｎｔ  Ｒｅｄ  ２２６（Ｐｙｒａｎｔｈｒｏｎｅ  Ｒｅｄ）が含まれる。ペリレンの例には、Ｐｉｇｍｅｎｔ  Ｒｅｄ  １２３（Ｖｅｒｍｉｌｌｉｏｎ）、Ｐｉｇｍｅｎｔ  Ｒｅｄ  １４９（Ｓｃａｒｌｅｔ）、Ｐｉｇｍｅｎｔ  Ｒｅｄ  １７９（Ｍａｒｏｏｎ）、Ｐｉｇｍｅｎｔ  Ｒｅｄ  １９０（Ｒｅｄ）、Ｐｉｇｍｅｎｔ  Ｖｉｏｌｅｔ  １９、Ｐｉｇｍｅｎｔ  Ｒｅｄ  １８９（Ｙｅｌｌｏｗ  Ｓｈａｄｅ  Ｒｅｄ）及びＰｉｇｍｅｎｔ  Ｒｅｄ  ２２４が含まれる。チオインジゴイドの例には、Ｐｉｇｍｅｎｔ  Ｒｅｄ  ８６、Ｐｉｇｍｅｎｔ  Ｒｅｄ  ８７、Ｐｉｇｍｅｎｔ  Ｒｅｄ  ８８、Ｐｉｇｍｅｎｔ  Ｒｅｄ  １８１、Ｐｉｇｍｅｎｔ  Ｒｅｄ  １９８、Ｐｉｇｍｅｎｔ  Ｖｉｏｌｅｔ  ３６、及びＰｉｇｍｅｎｔ  Ｖｉｏｌｅｔ  ３８が含まれる。ヘテロ環イエローの例には、Ｐｉｇｍｅｎｔ  Ｙｅｌｌｏｗ  １、Ｐｉｇｍｅｎｔ  Ｙｅｌｌｏｗ  ３、Ｐｉｇｍｅｎｔ  Ｙｅｌｌｏｗ  １２、Ｐｉｇｍｅｎｔ  Ｙｅｌｌｏｗ  １３、Ｐｉｇｍｅｎｔ  Ｙｅｌｌｏｗ  １４、Ｐｉｇｍｅｎｔ  Ｙｅｌｌｏｗ  １７、Ｐｉｇｍｅｎｔ  Ｙｅｌｌｏｗ  ６５、Ｐｉｇｍｅｎｔ  Ｙｅｌｌｏｗ  ７３、Ｐｉｇｍｅｎｔ  Ｙｅｌｌｏｗ  ７４、Ｐｉｇｍｅｎｔ  Ｙｅｌｌｏｗ  ９３、Ｐｉｇｍｅｎｔ  Ｙｅｌｌｏｗ  １５１、Ｐｉｇｍｅｎｔ  Ｙｅｌｌｏｗ  １５４、Ｐｉｇｍｅｎｔ  Ｙｅｌｌｏｗ  １５５、Ｐｉｇｍｅｎｔ  Ｙｅｌｌｏｗ  １１７、Ｐｉｇｍｅｎｔ  Ｙｅｌｌｏｗ  １２８、Ｐｉｇｍｅｎｔ  Ｙｅｌｌｏｗ  １３８、Ｐｉｇｍｅｎｔ  Ｙｅｌｌｏｗ  １０９、Ｐｉｇｍｅｎｔ  Ｙｅｌｌｏｗ  １１０、及びＰｉｇｍｅｎｔ  Ｙｅｌｌｏｗ  ２１３が含まれる。これらの顔料は、バスフ社（ＢＡＳＦ  Ｃｏｒｐ．、米国ニュージャージー州マウントオリーブ）、エンゲルハルド社（Ｅｎｇｅｌｈａｒｄ  Ｃｏｒｐ．、米国ニュージャージー州アイスリン）、チバ社（ＣＩＢＡ  Ｃｏｒｐ．、米国ニューヨーク州テリータウン）、クラリアント社（Ｃｌａｒｉａｎｔ  Ｃｏｒｐ．、米国ロードアイランド州コベントリー）、又はサンケミカル社（Ｓｕｎ  Ｃｈｅｍｉｃａｌ  Ｃｏｒｐ．、米国オハイオ州シンシナティ）をはじめとする、多数の発売元から粉末又は圧縮固形物の何れかの形態で市販されている。
【００１４】
顔料としては、クラリアント社（Ｃｌａｒｉａｎｔ  ＧｍｂＨ、スイス国ミュッテン）から入手し得る、Ｈｏｓｔａｆｉｎｅ（登録商標）Ｙｅｌｌｏｗ  ＧＲ（Ｐｉｇｍｅｎｔ  １３）、Ｈｏｓｔａｆｉｎｅ（登録商標）Ｙｅｌｌｏｗ（Ｐｉｇｍｅｎｔ  ８３）、Ｈｏｓｔａｆｉｎｅ（登録商標）Ｒｅｄ  ＦＲＬＬ（Ｐｉｇｍｅｎｔ  Ｒｅｄ  ９）、Ｈｏｓｔａｆｉｎｅ（登録商標）Ｒｕｂｉｎｅ  Ｆ６Ｂ（Ｐｉｇｍｅｎｔ  １８４）、Ｈｏｓｔａｆｉｎｅ（登録商標）Ｂｌｕｅ  ２Ｇ（Ｐｉｇｍｅｎｔ  Ｂｌｕｅ  １５：３）、Ｈｏｓｔａｆｉｎｅ（登録商標）Ｂｌａｃｋ  Ｔ（Ｐｉｇｍｅｎｔ  Ｂｌａｃｋ  ７）、及びＨｏｓｔａｆｉｎｅ（登録商標）Ｂｌａｃｋ  ＴＳ（Ｐｉｇｍｅｎｔ  Ｂｌａｃｋ  ７）などの、Ｈｏｓｔａｆｉｎｅ（登録商標）シリーズの顔料；Ｎｏｒｍａｎｄｙ  Ｍａｇｅｎｔａ  ＲＤ−２４００（ポールユーリッヒ（Ｐａｕｌ  Ｕｈｌｉｃｈ）社）、Ｐａｌｉｏｇｅｎ  Ｖｉｏｌｅｔ  ５１００（バスフ社）、Ｐａｌｉｏｇｅｎ（登録商標）Ｖｉｏｌｅｔ  ５８９０（バスフ社）、Ｐｅｒｍａｎｅｎｔ  Ｖｉｏｌｅｔ  ＶＴ２６４５（ポールユーリッヒ社）、Ｈｅｌｉｏｇｅｎ  Ｇｒｅｅｎ  Ｌ８７３０（バスフ社）、Ａｒｇｙｌｅ  Ｇｒｅｅｎ  ＸＰ−１１１−Ｓ（ポールユーリッヒ社）、Ｂｒｉｌｌｉａｎｔ  Ｇｒｅｅｎ  Ｔｏｎｅｒ  ＧＲ  ０９９１（ポールユーリッヒ社）、Ｈｅｌｉｏｇｅｎ（登録商標）Ｂｌｕｅ  Ｌ６９００、Ｌ７０２０（バスフ社）、Ｈｅｌｉｏｇｅｎ（登録商標）Ｂｌｕｅ  Ｄ６８４０、Ｄ７０８０（バスフ社）、Ｓｕｄａｎ  Ｂｌｕｅ  ＯＳ（バスフ社）、ＰＶ  Ｆａｓｔ  Ｂｌｕｅ  Ｂ２ＧＯ１（アメリカンクラリアント（Ａｍｅｒｉｃａｎ  Ｃｌａｒｉａｎｔ）社）、Ｉｒｇａｌｉｔｅ  Ｂｌｕｅ  ＢＣＡ（チバ社）、Ｐａｌｉｏｇｅｎ（登録商標）Ｂｌｕｅ  ６４７０（バスフ社）、Ｓｕｄａｎ  ＩＩＩ（マテソン・コールマン・ベル（Ｍａｔｈｅｓｏｎ，Ｃｏｌｅｍａｎ，Ｂｅｌｌ）社）、Ｓｕｄａｎ  ＩＩ（マテソン・コールマン・ベル社）、Ｓｕｄａｎ  ＩＶ（マテソン・コールマン・ベル社）、Ｓｕｄａｎ  Ｏｒａｎｇｅ  Ｇ（アルドリッチ（Ａｌｄｒｉｃｈ）社）、Ｓｕｄａｎ  Ｏｒａｎｇｅ  ２２０（バスフ社）、Ｐａｌｉｏｇｅｎ（登録商標）Ｏｒａｎｇｅ  ３０４０（バスフ社）、Ｏｒｔｈｏ  Ｏｒａｎｇｅ  ＯＲ２６７３（ポールユーリッヒ社）、Ｐａｌｉｏｇｅｎ（登録商標）Ｙｅｌｌｏｗ  １５２，１５６０（バスフ社）、Ｌｉｔｈｏｌ  Ｆａｓｔ  Ｙｅｌｌｏｗ  ０９９１Ｋ（バスフ社）、Ｐａｌｉｏｔｏｌ  Ｙｅｌｌｏｗ  １８４０（バスフ社）、Ｎｏｖｏｐｅｒｍ（登録商標）Ｒｅｄ  ＢＮ（クラリアント社）、Ｎｏｖｏｐｅｒｍ（登録商標）Ｙｅｌｌｏｗ  ＦＧ  １（クラリアント社）、Ｐｅｒｍａｎｅｎｔ  Ｙｅｌｌｏｗ  ＹＥ  ０３０５（ポールユーリッヒ社）、Ｌｕｍｏｇｅｎ  Ｙｅｌｌｏｗ  Ｄ０７９０（バスフ社）、Ｓｕｃｏ−Ｇｅｌｂ  Ｌ１２５０（バスフ社）、Ｓｕｃｏ−Ｙｅｌｌｏｗ  Ｄ１３５５（バスフ社）、Ｈｏｓｔａｐｅｒｍ（登録商標）Ｐｉｎｋ  Ｅ（アメリカンクラリアント社）、Ｆａｎａｌ  Ｐｉｎｋ  Ｄ４８３０（バスフ社）、Ｃｉｎｑｕａｓｉａ  Ｍａｇｅｎｔａ（デュポン（ＤｕＰｏｎｔ）社）、Ｌｉｔｈｏｌ  Ｓｃａｒｌｅｔ  Ｄ３７００（バ��フ社）、Ｔｏｌｕｉｄｉｎｅ  Ｒｅｄ（アルドリッチ社）、Ｓｃａｒｌｅｔ  ｆｏｒ  Ｔｈｅｒｍｏｐｌａｓｔ  ＮＳＤ  ＰＳ  ＰＡ（ユージンクールマン オブ カナダ（Ｕｇｉｎｅ  Ｋｕｈｌｍａｎｎ  ｏｆ  Ｃａｎａｄａ）社）、Ｅ．Ｄ．Ｔｏｌｕｉｄｉｎｅ  Ｒｅｄ（アルドリッチ社）、Ｌｉｔｈｏｌ  Ｒｕｂｉｎｅ  Ｔｏｎｅｒ（ポールユーリッヒ社）、Ｌｉｔｈｏｌ  Ｓｃａｒｌｅｔ  ４４４０（バスフ社）、Ｂｏｎ  Ｒｅｄ  Ｃ（ドミニオンカラー社（Ｄｏｍｉｎｉｏｎ  Ｃｏｌｏｒ  Ｃｏｍｐａｎｙ））、Ｒｏｙａｌ  Ｂｒｉｌｌｉａｎｔ  Ｒｅｄ  ＲＤ−８１９２（ポールユーリッヒ社）、Ｏｒａｃｅｔ  Ｐｉｎｋ  ＲＦ（チバ社）、Ｐａｌｉｏｇｅｎ（登録商標）Ｒｅｄ  ３８７１Ｋ（バスフ社）、Ｐａｌｉｏｇｅｎ（登録商標）Ｒｅｄ  ３３４０（バスフ社）、及びＬｉｔｈｏｌ  Ｆａｓｔ  Ｓｃａｒｌｅｔ  Ｌ４３００（バスフ社）を挙げることができる。
【００１５】
特定の一実施形態では、アニオン性顔料は、スチレンアクリルポリマーがその表面に共有結合しているカーボンブラック顔料である。スチレンアクリルポリマーは、約１６５の酸価と、約８，０００の分子量を有する。このポリマー結合型顔料は、キャボット社から入手できる。スチレンアクリルポリマーは、カーボンブラック上に、顔料重量の約２０％〜約３０％にて存在する。
【００１６】
インクジェットインクのインクビヒクルには、水の他に、バインダー、界面活性剤、及び有機溶媒のうち１つ又は複数を含有させることができる。バインダーは、塩基性水溶液の場合のような塩基性条件下において可溶性であるアニオン性ポリマー又はアニオン性ポリマー混合物とし得る。アニオン性ポリマーは、負電荷を与えるカルボキシ、カルボニル、ヒドロキシ、スルホン酸、硫酸、又はホスホン酸基を有し得る。バインダーは、インクジェットインク中に約０．１ｗｔ％〜約１１ｗｔ％にて存在させ得る。特定の一実施形態においては、当該バインダーは、約２ｗｔ％以下で存在する。インクジェットインク中のバインダーの量を約２ｗｔ％以下にまで減らすことによって、アニオン性顔料を印刷媒体上に容易に沈殿させることができ、印刷画像の斑紋を改善することができる。
【００１７】
アニオン性バインダーは、ゲル浸透クロマトグラフィ（「ＧＰＣ」）により測定した際に、約４０〜約１６０の酸価と、約４，０００〜約１０，０００の平均分子量とを有し得る。インクジェットインクに用い得るバインダーの例には、スチレンアクリル系ポリマー、ポリウレタンポリマー、又はポリウレタンポリマーとスチレンアクリル系ポリマーとの混合物が挙げられる。スチレンアクリルバインダーとしては、限定はしないが、ＪＯＮＣＲＹＬ（登録商標）６１１、ＪＯＮＣＲＹＬ（登録商標）５８６、ＪＯＮＣＲＹＬ（登録商標）６８３、及びそれらの混合物を挙げることができる。これらのスチレンアクリルバインダーは、ジョンソンポリマー社（オランダ国ヘーレンフェーン）から入手することができる。ＪＯＮＣＲＹＬ（登録商標）６１１は、約５３の酸価を有し、ＪＯＮＣＲＹＬ（登録商標）５８６は、約１０８の酸価と約４，６００の分子量を有し、そしてＪＯＮＣＲＹＬ（登録商標）６８３は、約１６５の酸価と約８，０００の分子量を有する。当該アクリルバインダーは、インクジェットインク中に約０．１ｗｔ％〜約６ｗｔ％にて存在させ得る。
【００１８】
ポリウレタンバインダーは、約５５の酸価と、約５，５００の分子量とを有し得る。ポリウレタンバインダーは、アビシア社（Ａｖｅｃｉａ  Ｌｔｄ．、英国マンチェスター）などの多数の発売元から市販されている。当該ポリウレタンバインダーは、インクジェットインク中に約０ｗｔ％〜約５ｗｔ％にて存在させ得る。特定の一実施形態では、当該アクリルバインダーは、Ｊｏｎｃｒｙｌ（登録商標）５８６であり、当該ポリウレタンバインダーは、約５５の酸価と約５，５００の分子量を有する。
【００１９】
バインダーの溶解度を上げるべく、当該インクジェットインクは、有機塩基若しくは無機塩基などの塩基を含むことができる。有機塩基の例としては、限定はしないが、モノエタノールアミン、ジエタノールアミン、トリエタノールアミン、アミノメチルプロパノール、及びアンモニアが挙げられる。無機塩基の例としては、限定はしないが、水酸化カリウム及び水酸化ナトリウムが挙げられる。当該インクジェットインクのｐＨは、約８．０〜約１０．０（例えば、約９．０〜約９．５）とし得る。
【００２０】
インクジェットインクに用いる界面活性剤は、ノニオン性エーテル界面活性剤、ポリオキシエチレンオレイン酸、ノニオン性エステル界面活性剤、あるいはノニオン性フッ素系界面活性剤などの、ノニオン性界面活性剤とし得る。エーテル界面活性剤の例としては、限定はしないが、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、及びポリオキシアルキレンアルキルエーテルが挙げられる。エステル界面活性剤の例としては、限定はしないが、ポリオキシエチレンオレイン酸エステル、ポリオキシエチレンジステアリン酸エステル、ソルビタンラウリン酸塩、ソルビタンモノステアリン酸塩、ソルビタンモノオレイン酸塩、ソルビタンセスキオレイン酸塩、ポリオキシエチレンモノオレイン酸塩、及びポリオキシエチレンステアリン酸塩が挙げられる。フッ素系界面活性剤としては、限定はしないが、フルオロアルキルエステル及びパーフルオロアルキルカルボン酸塩を挙げることができる。ノニオン性界面活性剤の具体例としては、限定はしないが、バスフカナダ社（ＢＡＳＦ  Ｃａｎａｄａ、カナダ国オンタリオ州トロント）から入手し得る、Ｔｅｔｒｏｎｉｃ（登録商標）シリーズ；ユニオンカーバイド社（Ｕｎｉｏｎ  Ｃａｒｂｉｄｅ  Ｃｏ．、米国テキサス州ヒューストン）から入手し得る、Ｔｅｒｇｉｔｏｌ（登録商標）シリーズ；アイシーアイ アメリカ社（米国デラウェア州ウィルミントン）から入手し得る、Ｂｒｉｊ（登録商標）シリーズ；エアプロダクツ社（米国ペンシルバニア州アレンタウン）から入手し得る、Ｓｕｒｆｙｎｏｌ（登録商標）シリーズ；ローム アンド ハース社（Ｒｏｈｍ  ＆  Ｈａａｓ、米国ペンシルバニア州フィラデルフィア）から入手し得る、Ｔｒｉｔｏｎ（登録商標）シリーズ；サイテックインダストリー社（Ｃｙｔｅｃ  Ｉｎｄｕｓｔｒｉｅｓ，Ｉｎｃ．、米国ニュージャージー州ウェストパターソン）から入手し得る、Ａｅｒｏｓｏｌ（登録商標）シリーズ；デュポン社（米国デラウェア州ウィルミントン）から入手し得る、フルオロポリマーのＺｏｎｙｌ（登録商標）シリーズ；及びシェルケミカル社（Ｓｈｅｌｌ  Ｃｈｅｍｉｃａｌｓ，ＬＰ、米国テキサス州ヒューストン）から入手し得るＮｅｏｄｏｌ（登録商標）シリーズが挙げられる。Ｔｅｔｒｏｎｉｃ（登録商標）界面活性剤は、プロピレンオキシド、エチレンオキシド、及びエチレンジアミンの四官能性ブロックコポリマーである。Ｔｅｒｇｉｔｏｌ（登録商標）界面活性剤は、アルキルポリエチレンオキシドである。Ｂｒｉｊ（登録商標）界面活性剤は、ポリエトキシ化アルコール及びエステルである。Ｓｕｒｆｙｎｏｌ（登録商標）界面活性剤は、アセチレン系ポリエチレンオキシドである。Ｔｒｉｔｏｎ（登録商標）界面活性剤は、アルキルフェニルポリエチレンオキシドである。特定の一実施形態では、ノニオン性界面活性剤は、Ｚｏｎｙｌ（登録商標）ＦＳＯである。Ｚｏｎｙｌ（登録商標）ＦＳＯは、構造ＲｆＣＨ２ＣＨ２Ｏ（ＣＨ２ＣＨ２Ｏ���ｘＨ〔式中、ＲｆはＦ（ＣＦ２ＣＦ２）ｙであり、ｘは０〜約１５、及びｙは約１〜約７〕を有するエトキシル化ノニオン性フッ素系界面活性剤である。供給時には、Ｚｏｎｙｌ（登録商標）ＦＳＯは、５０％固形物である。
【００２１】
界面活性剤は、インクジェットインク中に、約０．０１ｗｔ％〜約１．０ｗｔ％のような、少量にて存在させることができる。特定の一実施形態では、界面活性剤は、約０．１ｗｔ％以下で存在する。界面活性剤の量を約０．１ｗｔ％以下にまで減らすことによって、印刷媒体中へのインクジェットインクの浸透速度を減ずることができ、印刷画像の斑紋を改善することができる。
【００２２】
当該インクジェットインクは、約２０ｗｔ％以下にて、水溶性若しくは水混和性の有機溶媒を含むことができる。当該有機溶媒には、限定はしないが、グリコール、エーテル、アルコール、及びアミドが含まれ得る。用い得る有機溶媒の例としては、限定はしないが、炭素数３０以下の第一脂肪族アルコール、炭素数３０以下の第一芳香族アルコール、炭素数３０以下の第二脂肪族アルコール、炭素数３０以下の第二芳香族アルコール、炭素数３０以下の１，２−アルコール、炭素数３０以下の１，３−アルコール、炭素数３０以下の１，５−アルコール、エチレングリコールアルキルエーテル、プロピレングリコールアルキルエーテル、ポリ（エチレングリコール）アルキルエーテル、ポリ（エチレングリコール）アルキルエーテルの高次の同族体、ポリ（プロピレングリコール）アルキルエーテル、ポリ（プロピレングリコール）アルキルエーテルの高次の同族体、Ｎ−アルキルカプロラクタム、未置換カプロラクタム、置換ホルムアミド、未置換ホルムアミド、置換アセトアミド、及び未置換アセトアミドが挙げられる。インクジェットインクに用い得る有機溶媒の具体例としては、限定はしないが、２−ピロリドン、１，２−ヘキサンジール、トリプロピレングリコール、及びそれらの混合物が挙げられる。２−ピロリドンは約０ｗｔ％〜約１５ｗｔ％にて存在させ得、１，２−ヘキサンジオールは約０ｗｔ％〜約８ｗｔ％にて存在させ得、そしてトリプロピレングリコールは約０ｗｔ％〜約１５ｗｔ％にて存在させ得る。有機溶媒の濃度を約２０ｗｔ％以下にまで減らすことによって、印刷媒体上のインクジェットインクの浸透速度を減ずることができ、印刷画像の斑紋を改善することができる。
【００２３】
当該インクジェットインクは、アニオン性顔料、バインダー（単数又は複数）、界面活性剤、有機溶媒、水、及びその他任意のインクジェットインク構成成分を直に混合するなどの在来技術によって調合又は調製することができる。アニオン性顔料は、水平ミニミル又はバールミルなどの在来技術によって、インクジェットインク中に分散させることができる。
【００２４】
当該インクジェットインクは、水性インクビヒクル中に溶解しているカチオン性定着剤を含んで成る定着剤液と共に、印刷媒体に適用することができる。定着剤液のインクビヒクルはまた、水溶性若しくは水混和性の有機溶媒又はノニオン性界面活性剤も含有し得る。定着剤液における使用に適する有機溶媒及びノニオン性界面活性剤の例には、インクジェットインクにおける使用に関して先述したものが含まれる。カチオン性定着剤は、カチオン性ポリマーと、酸性若しくはイオン性の沈殿剤とを含むことができる。インクジェットインクと定着剤液とが印刷媒体に適用されると、定着剤液中のカチオン性ポリマーは、反対の電荷を有するインクジェットインク中の成分と反応することができる。例えば、カチオン性ポリマーは、アニオン性顔料上のアニオン性基又はアニオン性化可能基と反応して、アニオン性顔料を印刷媒体に定着させることができる。
【００２５】
カチオン性ポリマーは、第四級アミン、ポリアミン（例えば、ポリエチレンイミン（「ＰＥＩ」））、ポリグアニジンカチオン性ポリマー、水溶性のカチオン性デンドリマー、水分散性のアルコキシル化形態のポリエチレンイミン、水分散性のアルコキシル化形態のデンドリマー、水溶性のアルコキシル化形態のデンドリマー、ポリアリルアミン、ポリジアリルジメチルアンモニウムクロリド、又はポリビニルピロリドンとし得る。ポリグアニジンカチオン性ポリマーとしては、限定はしないが、ヘキサメチレングアニド（「ＨＭＧ」）、ヘキサメチレンビグアニド（「ＨＭＢ」）のポリマー、及びＨＭＢとＨＭＧとのコポリマーを挙げることができる。ＰＨＭＢは、アビシア社（英国マンチェスター）から入手できる。当該カチオン性ポリマーは、定着剤液中に約０．２ｗｔ％〜約１０ｗｔ％（例えば、約０．５ｗｔ％〜約７ｗｔ％）にて存在させ得る。
【００２６】
酸性沈殿剤には、有機酸、無機酸、又はそれらの混合物を用いることができる。酸性沈殿剤は、カチオン性ポリマーを四級化（ｑｕａｔｅｒｎｉｚｅｄ）された形態へと変換することができる。用い得る有機酸の例には、限定するものではないが、クエン酸、コハク酸、リン酸、グリコール酸、酢酸、及びそれらの混合物が含まれる。用い得る無機酸の一例としては、塩酸が挙げられる。酸性沈殿剤は、定着剤液中に定着剤液全量の約０．０５ｗｔ％〜約８ｗｔ％にて存在させ得る。特定の一実施形態では、定着剤液は、２％のコハク酸と２％のＨＭＧを含む水溶液である。
【００２７】
当該定着剤液は、カチオン性ポリマー、酸性沈殿剤、水、及びその他任意の定着剤液構成成分を直に混合するなどの在来技術によって調合又は調製することができる。定着剤液のｐＨは、定着剤液の諸成分の溶解度を高めるように調節することができる。定着剤液のｐＨは、約２．０〜約６．０の範囲とし得る。一実施形態では、定着剤液のｐＨは、約４．０である。
【００２８】
当該インクジェットインクは、ヒューレット−パッカード社（米国カリフォルニア州パロアルト）製のＨＰ  ＤｅｓｋＪｅｔ（登録商標）プリンタのような、在来のインクジェットプリンタのインクジェットペンに格納することができる。定着剤液は、インクジェットプリンタの第５のペン（即ち、定着剤ペン）に格納することができる。インクジェットプリンタは、カラー又はブラックインクジェットインクを印刷するのに使用される在来のインクジェットペンに類似する第５のペンを具備するように改造することができる。この改造は、当業者に周知であり、従って、本明細書では詳述しない。当該インクジェットインクと定着剤液とからインクジェット印刷システムを形成することができる。
【００２９】
インクジェットインクと定着剤液とを印刷媒体に適用すると、アニオン性顔料上のアニオン性基又はアニオン性化可能基がカチオン性定着剤液と反応して、アニオン性顔料は印刷媒体上に析出し得る。当該カチオン性定着剤液は、アニオン性顔料に対して、嵩高の多価対イオンとして作用し、その溶解度と移動性を低減させることができる。定着剤液は、インクジェットインクに関して下刷り又は上刷りすることができる。あるいはまた、定着剤液とインクジェットインクとをほぼ同時に印刷媒体上に付着させたり、又は定着剤液とインクジェットインクの各々から成る複数の層を印刷媒体上に付着させることもできる。
【００３０】
定着剤液のカチオン性ポリマーによってアニオン性顔料を印刷媒体上に定着させることで、ＯＤ、耐久性、デキャップ、若しくは乾燥時間に実質的に影響を及ぼすことなく、十分な斑紋の低減を達成することができる。インクジェットインク中の他のアニオン性荷電成分はカチオン性ポリマーと競合し得るため、インクジェットインク中のアニオン性荷電成分の量を減らすことで、アニオン性顔料の効果的な定着をもたらすことができる。換言すれば、バインダーのようなインクジェットインク中の荷電種の量は、約２％以下にて存在させ得る。従って、カチオン性定着剤液が、アニオン性顔料をより効率よく印刷媒体表面に沈殿させることができる。
【００３１】
特定の理論に囚われるわけではないが、インクジェットインク中の荷電種の量を減らすことによって（例えば、アニオン性バインダーの量を約２％以下に減らすことによって）、カチオン性定着剤液がアニオン性顔料をより効率よく印刷媒体表面に沈殿させるため、印刷画像の斑紋現象を低減させることができると考えられる。さらに、インクジェットインク中の界面活性剤の量と有機溶媒の濃度とを減ずることによって、印刷媒体中へのインクジェットインクの浸透速度を低下させることができる。その際、カチオン性定着剤液はアニオン性顔料を印刷媒体表面により密接して沈殿させるため、斑紋現象をさらに低減させることができる。
【００３２】
本発明のインクジェット印刷システムで印刷された画像は、在来のインクジェットインクで印刷された画像の外見と比較して、低減された斑紋を呈することができる。例えば、黒色のべた領域を印刷するのに定着剤液と組み合わせてブラックインクを使用すると、得られる印刷画像は、均一な黒色の外見を呈し得る。斑紋の程度は、印刷された領域を観察し、その外見を１（最悪）〜１０（最良）の尺度で評価することによって目視評価することができる。本発明のインクジェット印刷システムの斑紋の目視評点は、（１０点満点で）約７以上であり得る。一実施形態では、斑紋の目視評点は、約８以上である。当該印刷画像は、同等の又は改善されたＯＤ（標準の黒さに対し、印刷領域の黒さを分光光度計により測定するなどする在来技術によって測定）を呈し得る。
【００３３】
インクジェットインクと定着剤液とを適用する印刷媒体には、多孔質紙を用いることができる。本明細書で用いるとき、用語「多孔質紙」は、在来の普通紙又は事務用紙を意味する。限定はしないが、多孔質紙の例としては、Ｇｉｌｂｅｒｔ  Ｂｏｎｄ、Ｇｅｏｒｇｉａ−Ｐａｃｉｆｉｃ  Ｍｕｌｔｉ−Ｓｙｓｔｅｍ（登録商標）、Ａｕｓｓｅｄａｔ−Ｒｅｙ−Ｒｅｙｍａｔ、Ｃｈａｍｐｉｏｎ  ＤａｔａＣｏｐｙ、Ｅｎｓｏ−Ｇｕｔｚｅｉｔ  Ｂｅｒｇａ  Ｌａｓｅｒ、Ｈａｍｍｅｒｍｉｌｌ（登録商標）Ｆｏｒｅ  ＤＰ、Ｈｏｎｓｈｕ  Ｎｅｗ  Ｙａｍａｙｕｒｉ、Ｈｏｋｕｅｓｔｓｕ  ｋｉｎ−Ｍａｒｉ、ＫｙｍＣｏｐｙ  Ｌｕｘ、ＭｏＤｏ  ＤａｔａＣｏｐｙ、Ｎｅｅｎａｈ  Ｃｌａｓｓｉｃ  Ｌａｉｄ、Ｏｊｉ  Ｓｕｎａｃｅ  ＰＰＣ、Ｓｔｏｒａ  Ｐａｐｙｒｕｓ  ＭｕｌｔｉＣｏｐｙ、Ｕｎｉｏｎ  Ｃａｍｐ  Ｇｒｅａｔ  Ｗｈｉｔｅ（登録商標）、Ｗｅｙｅｒｈａｕｓｅｒ  Ｆｉｒｓｔ  Ｃｈｏｉｃｅ（登録商標）、及びＷｉｇｇｅｎｓ  Ｔｅａｐｅ  Ｃｏｎｑｕｅｒｏｒ（登録商標）がある。当該印刷媒体はまた、光沢のある印刷媒体又はパンフレット印刷媒体のような特殊印刷媒体ともし得る。光沢のある印刷媒体の例としては、限定はしないが、ヒューレット−パッカード社（米国カリフォルニア州パロアルト）から入手し得る、ＨＰ  Ｐｒｅｍｉｕｍ  Ｐｌｕｓ  Ｐｈｏｔｏプリンタ用紙、Ｅｐｓｏｎ写真用紙、Ｐｉｃｔｏｒｉｃｏ高級写真光沢紙、Ａｇｆａ光沢写真インクジェット用紙、Ｋｏｎｉｃａ写真インクジェット用紙、Ｃａｎｏｎ光沢写真用紙、Ｈａｍｍｅｒｍｉｌｌ（登録商標）Ｊｅｔｐｒｉｎｔ  Ｕｌｔｒａ  Ｇｌｏｓｓ、Ｐｏｌａｒｏｉｄインクジェット用紙、及びＫｏｄａｋインクジェット写真品質写真重量紙がある。
【００３４】
以下の実施例は、本発明の実施形態をさらに詳しく説明するのに有用である。これらの実施例は、本発明の範囲に関して網羅的又は排他的であると解釈されるべきではない。
【実施例１】
【００３５】
斑紋及びＯＤに及ぼすバインダー濃度、界面活性剤濃度、及び有機溶媒濃度の効果
下記成分を含むインクジェットインク調合物を調合した。成分は、全て、インクジェットインク全重量の重量パーセントで表示する。
【００３６】
【表１】
2006159907.tif 000002
【００３７】
前述のように、アニオン性顔料は、キャボット社から入手し、それは約１６５の酸価と約８，０００の分子量を有するスチレンアクリルポリマーの結合したカーボンブラック顔料であった。Ｊｏｎｃｒｙｌ（登録商標）は、ジョンソンポリマー社から入手した。約５５の酸価と約５，５００の分子量を有するポリウレタンバインダーは、アビシア社から入手した。Ｐｒｏｘｅｌ（登録商標）ＧＸＬは、１，２−ベンズイソチアゾリン−３−オン（ＢＩＴ）、水酸化ナトリウム、及びジプロピレングリコールから成る溶液を含む殺生物剤であり、アビシア社から入手した。当該インクジェットインクは、当分野で知られているように、諸成分を混合することによって調製した。調合物Ａ〜Ｃは、バインダーであるＪｏｎｃｒｙｌ（登録商標）５８６の量に差異があり、ＡからＣにかけて徐々にその量は少なくなっている。調合物Ｄ及びＥは、有機溶媒の量に差があり、ＤよりＥの方がその量が少ない。調合物Ｆ及びＧは、界面活性剤であるＺｏｎｙｌ（登録商標）ＦＳＯの量に差があり、ＦよりＧの方がその量が少ない。
【００３８】
２％のコハク酸と２％のポリグアニジンカチオン性ポリマーの水溶液を含む定着剤液調合物も調製した。当該定着剤液は、当分野で既知の諸成分を混合することにより調製した。
【００３９】
表１記載の各インクジェットインク調合物と定着剤液とを用いて、サンプルを印刷した。定着剤液は、インクジェットインクに関して下刷りした。印刷した各サンプルを斑紋について目視評価した。その結果を表２に示す。斑紋の程度は、１（最悪）から１０（最良）までランク付けした。また、各印刷サンプルのＯＤは、標準のものと比較して、Ｍａｃｂｅｔｈ分光光度計を用いて測定した。ＯＤの結果もまた、表２に示す。
【００４０】
【表２】
2006159907.tif 000003
【００４１】
表２に示すように、インクジェットインク中のバインダー濃度を減らすことで、印刷画像の斑紋及びＯＤが改善された。インクジェットインク中の有機溶媒の濃度を減らすことによってもまた、印刷画像の斑紋とＯＤが改善された。さらに、界面活性剤の濃度を減らすことによってもまた、斑紋とＯＤが改善された。
【００４２】
印刷画像における斑紋の低減は、印刷画像の耐久性、インクジェットインクのデキャップ、又はインクジェットインクの乾燥時間に実質的に影響を及ぼすことなく達成された。
【００４３】
本発明には、種々の修正並びに代替形態が考えられるが、これまで、特定の実施形態に関して詳述してきた。しかしながら、開示された特定の形態に本発明を限定する意のないことを理解されたい。本発明は、添付の特許請求の範囲によって定義される本発明の趣旨及び範囲に帰属する全ての修正、等価物、及び代替形態を網羅するものとする。